(57)【要約】【課題】記録中において、搬送ベルトに媒体を押し付ける押し付けローラーの押し付け力がばらつき、搬送ベルトにおける媒体の支持状態が変化することを抑制する。【解決手段】媒体Ｐを搬送する搬送ベルト１０と、搬送ベルト１０により搬送される媒体Ｐに記録する記録部７と、搬送ベルト１０に向かう押し付け方向Ｇに媒体Ｐを押し付ける押し付けローラー１２の回転軸２０を取り付け可能な軸受け部３５と、を備え、軸受け部３５は、複数種類の押し付けローラー１２の回転軸２０を取り付け可能であるとともに、記録部７により媒体Ｐが記録される際に押し付け方向Ｇに複数種類の押し付けローラー１２の回転軸２０を固定することを特徴とする記録装置１。【選択図】図３
2017185746.tif 000002
【特許請求の範囲】
【請求項１】
媒体を搬送する搬送ベルトと、
前記搬送ベルトにより搬送される前記媒体に記録する記録部と、
前記搬送ベルトに向かう押し付け方向に前記媒体を押し付ける押し付けローラーの回転軸を取り付け可能な軸受け部と、を備え、
前記軸受け部は、複数種類の押し付けローラーの回転軸を取り付け可能であるとともに、前記記録部により前記媒体が記録される際に前記押し付け方向に前記複数種類の押し付けローラーの回転軸を固定することを特徴とする記録装置。
【請求項２】
請求項１に記載の記録装置において、
前記軸受け部は、前記記録部により前記媒体が記録される際に前記押し付け方向に固定されていることを特徴とする記録装置。
【請求項３】
請求項１又は２に記載の記録装置において、
前記複数種類の押し付けローラーとして、直径の異なる複数の押し付けローラーを取り付け可能であることを特徴とする記録装置。
【請求項４】
請求項１から３のいずれか１項に記載の記録装置において、
前記複数種類の押し付けローラーとして、材質の異なる複数の押し付けローラーを取り付け可能であることを特徴とする記録装置。
【請求項５】
請求項１から４のいずれか１項に記載の記録装置において、
前記軸受け部は、前記複数種類の押し付けローラーの各々の回転軸を取り付け可能なターレットであり、
前記ターレットは、該ターレットの回転軸を基準に回転させることにより、前記押し付け方向に前記媒体を押し付ける押し付けローラーを変更可能であることを特徴とする記録装置。
【請求項６】
請求項１から５のいずれか１項に記載の記録装置において、
前記軸受け部を前記押し付け方向と交差する方向に移動させる移動部を備えることを特徴とする記録装置。
【請求項７】
請求項１から６のいずれか１項に記載の記録装置において、
前記軸受け部が前記押し付け方向に固定されている状態において前記搬送ベルトを介して押し付けローラーと対向する領域に、該搬送ベルトを支持する支持部を備えることを特徴とする記録装置。
【発明の詳細な説明】
【技術分野】
【０００１】
本発明は、記録装置に関する。
【背景技術】
【０００２】
従来から、様々な記録装置が使用されている。例えば、媒体を搬送する搬送ベルトを備え、該搬送ベルトにより搬送される媒体に記録する記録装置があり、このうち、搬送ベルトに媒体を押し付ける押し付けローラーを備える構成のものが開示されている。  
このような、押し付けローラーを備える構成の記録装置のなかには、該押し付けローラーの自重を利用して搬送ベルトに媒体を押し付ける構成のものがあるほか、例えば、特許文献１及び２で開示されるような押し付けローラーによる押し付け力を変えることが可能な構成のものもある。
【先行技術文献】
【特許文献】
【０００３】
【特許文献１】特開２００９−２５６８１１号公報
【特許文献２】特開２０１３−６３７１号公報
【発明の概要】
【発明が解決しようとする課題】
【０００４】
記録時において媒体を支持した搬送ベルトを移動させて該媒体を搬送させると、搬送ベルトが振動する場合がある。搬送ベルトが振動すると、搬送ベルトに媒体を押し付ける押し付けローラーの押し付け力がばらつき、搬送ベルトにおける媒体の支持状態が変化する場合がある。ここで、押し付けローラーの自重を利用して搬送ベルトに媒体を押し付ける構成のものや、特許文献１及び２で開示されるような押し付けローラーによる押し付け力を変えることが可能な構成のものでは、押し付けローラーが固定されているわけではない。このため、このような従来の押し付けローラーを備える構成の記録装置では、搬送ベルトが振動することに伴う押し付けローラーの押し付け力のばらつきを十分には低減できなかった。
【０００５】
そこで、本発明の目的は、記録中において、搬送ベルトに媒体を押し付ける押し付けローラーの押し付け力がばらつき、搬送ベルトにおける媒体の支持状態が変化することを抑制することである。
【課題を解決するための手段】
【０００６】
上記課題を解決するための本発明の第１の態様の記録装置は、媒体を搬送する搬送ベルトと、前記搬送ベルトにより搬送される前記媒体に記録する記録部と、前記搬送ベルトに向かう押し付け方向に前記媒体を押し付ける押し付けローラーの回転軸を取り付け可能な軸受け部と、を備え、前記軸受け部は、複数種類の押し付けローラーの回転軸を取り付け可能であるとともに、前記記録部により前記媒体が記録される際に前記押し付け方向に前記複数種類の押し付けローラーの回転軸を固定することを特徴とする。
【０００７】
本態様によれば、押し付けローラーの回転軸を取り付け可能な軸受け部を備え、軸受け部は、複数種類の押し付けローラーの回転軸を取り付け可能であるとともに、記録部により媒体が記録される際に押し付け方向に複数種類の押し付けローラーの回転軸を固定する。このため、媒体の厚さなどに応じて適切な押し付けローラーを使用できるとともに、押し付けローラーが押し付け方向に固定されることで該押し付けローラーの押し付け力のばらつきを低減できる。したがって、記録中において、搬送ベルトに媒体を押し付ける押し付けローラーの押し付け力がばらつき、搬送ベルトにおける媒体の支持状態が変化することを抑制することができる。  
なお、「記録される際に押し付け方向に複数種類の押し付けローラーの回転軸を固定する」とは、記録される際に押し付け方向に固定していれば足りる意味であり、押し付けローラーの回転軸を軸受け部に取り付ける際など記録される際以外の場合には押し付け方向に固定していなくてもよいという意味である。
【０００８】
本発明の第２の態様の記録装置は、前記第１の態様において、前記軸受け部は、前記記録部により前記媒体が記録される際に前記押し付け方向に固定されていることを特徴とする。
【０００９】
本態様によれば、軸受け部は、記録部により媒体が記録される際に押し付け方向に固定されている。このため、記録部により媒体が記録される際に、簡単に、押し付けローラーの回転軸を固定することができる。
【００１０】
本発明の第３の態様の記録装置は、前記第１又は第２の態様において、前記複数種類の押し付けローラーとして、直径の異なる複数の押し付けローラーを取り付け可能であることを特徴とする。
【００１１】
本態様によれば、複数種類の押し付けローラーとして、直径の異なる複数の押し付けローラーを取り付け可能である。このため、媒体の厚さなどに応じて適切な直径の押し付けローラーを使用できる。
【００１２】
本発明の第４の態様の記録装置は、前記第１から第３のいずれか１つの態様において、前記複数種類の押し付けローラーとして、材質の異なる複数の押し付けローラーを取り付け可能であることを特徴とする。
【００１３】
本態様によれば、複数種類の押し付けローラーとして、材質の異なる複数の押し付けローラーを取り付け可能である。このため、媒体の素材などに応じて適切な材質の押し付けローラーを使用できる。
【００１４】
本発明の第５の態様の記録装置は、前記第１から第４のいずれか１つの態様において、前記軸受け部は、前記複数種類の押し付けローラーの各々の回転軸を取り付け可能なターレットであり、前記ターレットは、該ターレットの回転軸を基準に回転させることにより、前記押し付け方向に前記媒体を押し付ける押し付けローラーを変更可能であることを特徴とする。
【００１５】
本態様によれば、軸受け部が複数種類の押し付けローラーの各々の回転軸を取り付け可能なターレットであり、該ターレットがその回転軸を基準に回転させることにより媒体を押し付ける押し付けローラーを変更可能である。このため、媒体を押し付けるのに使用する押し付けローラーを簡単に変更できる。  
なお、「ターレット」とは、押し付けローラーの各々の回転軸を取り付け可能であり該ターレットの回転軸を基準に回転させることにより媒体を押し付ける押し付けローラーを変更可能であればよい意味であり、その構成や形状に特に限定はない。例えば、ターレットの本体部が円盤状の構成のもののほか多角形のものや棒状のものなどでもよい。
【００１６】
本発明の第６の態様の記録装置は、前記第１から第５のいずれか１つの態様において、前記軸受け部を前記押し付け方向と交差する方向に移動させる移動部を備えることを特徴とする。
【００１７】
本態様によれば、軸受け部を押し付け方向と交差する方向に移動させる移動部を備える。すなわち、記録の際に、押し付けローラーを押し付け方向に固定したまま押し付け方向と交差する方向に移動させることができる。このため、押し付けローラーの押し付け力のばらつきを低減できるとともに、押し付けローラーの押し付け力が集中し媒体に押し付けローラーの押し付け痕ができることを抑制できる。
【００１８】
本発明の第７の態様の記録装置は、前記第１から第６のいずれか１つの態様において、前記軸受け部が前記押し付け方向に固定されている状態において前記搬送ベルトを介して押し付けローラーと対向する領域に、該搬送ベルトを支持する支持部を備えることを特徴とする。
【００１９】
本態様によれば、軸受け部が押し付け方向に固定されている状態において搬送ベルトを介して押し付けローラーと対向する領域に、該搬送ベルトを支持する支持部を備える。このため、媒体及び搬送ベルトを押し付けローラーと支持部とで挟むことにより、搬送ベルトが振動することを効果的に抑制することができる。
【図面の簡単な説明】
【００２０】
【図１】本発明の実施例１に係る記録装置を表す概略側面図。
【図２】本発明の実施例１に係る記録装置を表すブロック図。
【図３】本発明の実施例１に係る記録装置の要部を表す概略側面図。
【図４】本発明の実施例２に係る記録装置の要部を表す概略側面図。
【発明を実施するための形態】
【００２１】
以下に、本発明の一実施例に係る記録装置について、添付図面を参照して詳細に説明する。  
［実施例１］（図１〜図３）  
最初に、本発明の一実施例に係る記録装置１の概要について説明する。  
図１は本実施例の記録装置１の概略側面図である。
【００２２】
本実施例の記録装置１は、記録を行うための被記録媒体（媒体）ＰのロールＲ１を繰り出すことが可能な繰出部２を備えている。また、粘着剤が付着された支持面Ｆで被記録媒体Ｐを支持する粘着性ベルト１０（無端ベルトで構成される搬送ベルト）により、被記録媒体Ｐを搬送方向Ａに搬送する搬送機構３を備えている。また、インク（液体）を吐出する記録ヘッド７を備えたキャリッジ１６を、被記録媒体Ｐの搬送方向Ａと交差する走査方向Ｂに沿って往復走査させて、被記録媒体Ｐに記録する記録機構４を備えている。また、粘着性ベルト１０の洗浄機構１５を備えている。さらに、被記録媒体Ｐを巻き取る巻取軸１７を有する巻取機構３８を備えている。なお、「走査」とは、キャリッジ１６を走査方向Ｂに移動させることを意味し、例えば、記録時において、記録ヘッド７からインクを吐出させながらキャリッジ１６を走査方向Ｂに移動させることなどが挙げられる。
【００２３】
なお、被記録媒体Ｐとしては、被捺染材を用いることができる。被捺染材とは、捺染の対象となる布帛や、衣服や、その他の服飾製品等のことを言う。布帛には、綿、麻、絹、羊毛等の天然繊維やナイロン等の化学繊維あるいはこれらを混ぜた複合繊維の織物、編物、不織布等が含まれる。また、衣服や、その他の服飾製品には、縫製後のＴシャツ、ハンカチ、スカーフ、タオル、手提げ袋、布製のバッグ、カーテン、シーツ、ベッドカバー等のファニチャー類の他、縫製前の状態のパーツとして存在する裁断前後の布帛等も含まれる。
【００２４】
また、被記録媒体Ｐとして、上記被捺染材の他、普通紙、上質紙、及び光沢紙などのインクジェット記録用専用紙等を用いることができる。また、被記録媒体Ｐとしては、例えば、インクジェット印刷用に表面処理をしていない（すなわち、インク吸収層を形成していない）プラスチックフィルム、並びに紙等の基材上にプラスチックがコーティングされているもの及びプラスチックフィルムが接着されているものも用いることができる。当該プラスチックとしては、特に限定されないが、例えば、ポリ塩化ビニル、ポリエチレンテレフタレート、ポリカーボネート、ポリスチレン、ポリウレタン、ポリエチレン、及びポリプロピレンが挙げられる。
【００２５】
繰出部２は、記録を行うための被記録媒体ＰのロールＲ１のセット位置を兼ねる回転軸５を備え、回転軸５にセットされたロールＲ１から従動ローラー６及び３７を介して被記録媒体Ｐを搬送機構３に繰り出すことが可能な構成となっている。なお、被記録媒体Ｐを搬送機構３に繰り出す際、回転軸５は回転方向Ｃに回転する。
【００２６】
搬送機構３は、繰出部２から繰り出された被記録媒体Ｐを載置して搬送する粘着性ベルト１０と、粘着性ベルト１０を方向Ｅに移動させる駆動ローラー８と、従動ローラー９とを備えている。被記録媒体Ｐは押し付けローラー１２により粘着性ベルト１０の支持面Ｆに押し付けられることで貼り付けられて載置される。なお、被記録媒体Ｐを搬送する際、駆動ローラー８は回転方向Ｃに回転する。  
ただし、搬送ベルトとしての無端ベルトは粘着性ベルトに限定されない。例えば、静電吸着式の無端ベルトを用いてもよい。  
また、本実施例の粘着性ベルト１０の下部には、粘着性ベルト１０を支持可能な支持部としてのプラテン１８及び１９が設けられている。プラテン１８及び１９が粘着性ベルト１０を支持することにより、粘着性ベルト１０を移動させることに伴って該粘着性ベルト１０が振動することなどを抑制することができる。ここで、プラテン１８は粘着性ベルト１０を介して記録ヘッド７と対向する領域、プラテン１９は粘着性ベルト１０を介して押し付けローラー１２と対向する領域、に設けられている。
【００２７】
なお、本実施例の記録装置１の要部である押し付けローラー１２及び該押し付けローラー１２の取り付け部分３９（図３参照）の詳細については、後述するが、本実施例の押し付けローラー１２は、走査方向Ｂに沿う回転軸２０を基準にして被記録媒体Ｐの搬送に伴い回転方向Ｃとは反対方向に回転可能な構成になっている。  
また、本実施例の押し付けローラー１２は、被記録媒体Ｐの同じ場所に一定の時間接触することで接触痕が被記録媒体Ｐにつくことを抑制するため、搬送方向Ａに沿って往復移動（スイング）可能な構成となっている。ただし、押し付けローラー１２は、このような構成に限定されない。
【００２８】
記録機構４は、記録ヘッド７を備えるキャリッジ１６を走査方向Ｂに沿って往復移動させるキャリッジモーター３０（図２参照）を有している。なお、図１において走査方向Ｂは紙面に対して垂直方向である。  
記録の際、記録ヘッド７を備えるキャリッジ１６を往復走査させて記録するが、記録走査中（キャリッジ１６の移動中）は、搬送機構３は被記録媒体Ｐの搬送を停止させる。別の表現をすると、記録の際、キャリッジ１６の往復走査と被記録媒体Ｐの搬送は交互に行われる。すなわち、記録の際、キャリッジ１６の往復走査に対応して、搬送機構３は被記録媒体Ｐを間欠搬送（粘着性ベルト１０を間欠移動）させている。  
なお、本実施例の記録装置１は、走査方向Ｂに沿って往復移動しながらインクを吐出する記録ヘッド７を備えているが、インクを吐出するノズルを被記録媒体Ｐの移動方向と交差する交差方向に複数設けた所謂ラインヘッドを備える印刷装置でもよい。  
ここで、「ラインヘッド」とは、被記録媒体Ｐの移動方向と交差する交差方向に形成されたノズルの領域が、該交差方向全体をカバー可能なように設けられ、記録ヘッド又は被記録媒体Ｐを相対的に移動させて画像を形成する記録装置に用いられる記録ヘッドである。なお、ラインヘッドの該交差方向のノズルの領域は、記録装置が対応している全ての被記録媒体Ｐの該交差方向をカバー可能でなくてもよい。  
また、本実施例の記録ヘッド７は、被記録媒体Ｐにインクを吐出することで記録可能な記録部であるが、このような記録部に限定されず、例えば、色材を媒体に転写して記録する転写式の記録部を使用してもよい。
【００２９】
粘着性ベルト１０の洗浄機構１５は、複数の洗浄ローラーが回転軸方向に連結されて構成された洗浄ブラシ１３と、洗浄ブラシ１３を洗浄するための洗浄剤が入ったトレイ１４と、を有する。
【００３０】
巻取機構３８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。  
なお、図１においては、記録がなされる面が外側のロールＲ１を使用し、記録がなされた面が外側となるように巻き取っている状態を表している。このため、回転軸５と巻取軸１７とを共に回転方向Ｃに回転させている。しかしながら、本実施例の記録装置１は、記録がなされる面が内側のロールＲ１を使用することができるとともに、記録がなされた面が内側となるように巻き取ることもできる。すなわち、回転軸５、巻取軸１７とも、回転方向Ｃとは逆方向に回転させることができる。
【００３１】
次に、本実施例の記録装置１における電気的な構成について説明する。  
図２は、本実施例の記録装置１のブロック図である。  
制御部２３には、記録装置１の全体の制御を司るＣＰＵ２４が設けられている。ＣＰＵ２４は、システムバス２５を介して、ＣＰＵ２４が実行する各種制御プログラム等を格納したＲＯＭ２６と、データを一時的に格納可能なＲＡＭ２７と接続されている。
【００３２】
また、ＣＰＵ２４は、システムバス２５を介して、記録ヘッド７を駆動するためのヘッド駆動部２８と接続されている。  
また、ＣＰＵ２４は、システムバス２５を介して、キャリッジモーター３０、搬送モーター３１、繰出モーター３２、巻取モーター３３及びスイングモーター３４を駆動させるためのモーター駆動部２９と接続されている。  
ここで、キャリッジモーター３０は、記録ヘッド７を備えたキャリッジ１６を移動させるためのモーターである。また、搬送モーター３１は、駆動ローラー８を駆動するためのモーターである。また、繰出モーター３２は、回転軸５の回転機構であり、被記録媒体Ｐを搬送機構３に送り出すために回転軸５を駆動するモーターである。また、巻取モーター３３は、巻取軸１７を回転させるための駆動モーターである。そして、スイングモーター３４は、押し付けローラー１２を搬送方向Ａに沿ってスイング（往復移動）させるための駆動モーターである。
【００３３】
また、ＣＰＵ２４は、システムバス２５を介して、入出力部２１と接続されており、入出力部２１は、記録データ等のデータ及び信号の送受信を行うためのＰＣ２２と接続されている。  
制御部２３は、このような構成により、記録装置１の全体の制御を実行可能である。
【００３４】
次に、本実施例の記録装置１の要部である押し付けローラー１２及び該押し付けローラー１２の取り付け部分３９について説明する。  
ここで、図３は、本実施例の記録装置１の押し付けローラー１２及び該押し付けローラー１２の取り付け部分３９を表す概略側面図である。
【００３５】
本実施例の押し付けローラー１２は、走査方向Ｂに沿って延設され、走査方向Ｂに沿う回転軸２０を基準にして被記録媒体Ｐの搬送に伴い回転方向Ｃとは反対方向に回転可能な構成になっている。なお、本実施例の記録装置１は、取り付け部分３９に取り付けられる押し付けローラー１２を交換することにより、複数種類の押し付けローラー１２を使用可能であるが、図３では、そのうちの一例としての押し付けローラー１２ａを取り付けた状態を表している。
【００３６】
また、図３で表されるように、押し付けローラー１２の取り付け部分３９は、軸受け部３５と、該軸受け部３５の上下方向（粘着性ベルト１０に接近及び離間する方向）の位置を保った状態で該軸受け部３５を搬送方向Ａに沿って移動可能な移動部３６と、を備えている。なお、スイングモーター３４は、移動部３６の内部に設けられている。
【００３７】
ここで、軸受け部３５は、移動部３６に取り付けられた基体部３５ａと、該基体部３５ａに対して着脱可能な着脱部３５ｂとで構成されている。そして、基体部３５ａと着脱部３５ｂとで実線及び破線で表される回転軸２０を挟んで保持することにより、回転軸２０を基準にして回転可能に押し付けローラー１２を保持する。なお、基体部３５ａと着脱部３５ｂとで回転軸２０が挟まれると、押し付けローラー１２は軸受け部３５に対する位置が固定される。
【００３８】
また、本実施例の押し付けローラー１２の取り付け部分３９はレバー４２を有し、レバー４２を方向Ｄに移動させることで軸受け部３５を粘着性ベルト１０に対して接近及び離間する方向に移動させることができる。図３においては、実線で表されるレバー４２及び実線で表される回転軸２０の位置が記録時などに対応する接近位置であり、破線で表されるレバー４２及び破線で表される回転軸２０の位置が押し付けローラー１２の交換時などに対応する離間位置である。なお、このような構成により、押し付けローラー１２は、粘着性ベルト１０への押し付け方向Ｇに沿って接近位置及び離間位置に距離Ｌ１だけ移動可能であるが、接近位置及び離間位置の各々において押し付け方向Ｇにおける位置は固定されている。さらに、レバー４２を方向Ｄに移動させることで、該固定されている押し付けローラー１２の押し付け方向Ｇにおける位置を移動させることができる。また、移動位置は２箇所に限定されず、３ケ所以上でも良い。
【００３９】
また、本実施例の記録装置１は、粘着性ベルト１０を支持するプラテン１９を備えているが、押し付けローラー１２は、粘着性ベルト１０を介してプラテン１９と対向する位置に配置されている。詳細には、本実施例の押し付けローラー１２は、軸受け部３５を搬送方向Ａに沿って移動させることで搬送方向Ａに沿って移動（スイング）するが、その移動範囲Ｌ２は、プラテン１９と対向する領域の範囲内である。このため、プラテン１９は、押し付けローラー１２をスイングさせた場合においても効果的に粘着性ベルト１０を支持することが可能な構成になっている。
【００４０】
上記のように、本実施例の記録装置１は、被記録媒体Ｐを搬送する粘着性ベルト１０と、粘着性ベルト１０により搬送される被記録媒体Ｐに記録する記録ヘッド７と、粘着性ベルト１０に向かう押し付け方向Ｇに被記録媒体Ｐを押し付ける押し付けローラー１２の回転軸２０を取り付け可能な軸受け部３５と、を備えている。  
そして、軸受け部３５は、複数種類の押し付けローラー１２の回転軸２０を取り付け可能であるとともに、記録ヘッド７により被記録媒体Ｐが記録される際には、図３で表される位置において、押し付け方向Ｇに回転軸２０を固定する。  
このように、本実施例の記録装置１は、押し付けローラー１２の回転軸２０を取り付け可能な軸受け部３５を備え、軸受け部３５は、複数種類の押し付けローラー１２の回転軸２０を取り付け可能であるとともに、記録ヘッド７により被記録媒体Ｐが記録される際に押し付け方向Ｇに回転軸２０を固定する。このため、被記録媒体Ｐの厚さなどに応じて適切な押し付けローラー１２を使用できるとともに、押し付けローラー１２が押し付け方向Ｇに固定されることで該押し付けローラー１２の押し付け力のばらつきを低減できる。したがって、本実施例の記録装置１は、記録中において、粘着性ベルト１０に被記録媒体Ｐを押し付ける押し付けローラー１２の押し付け力がばらつき、粘着性ベルト１０における被記録媒体Ｐの支持状態が変化することを抑制することができる構成になっている。  
なお、「記録される際に押し付け方向Ｇに回転軸２０を固定する」とは、記録される際（記録時）に押し付け方向Ｇに押し付けローラー１２が固定されていれば足りる意味である。このため、本実施例の記録装置１のように、記録される際以外においては軸受け部３５の位置を移動可能であってもよく、押し付けローラー１２の回転軸２０を軸受け部３５に取り付ける際など記録される際以外の場合には、押し付け方向Ｇに固定されていなくてもよい。また、本実施例の記録装置１は、レバー４２を方向Ｄに移動させることで軸受け部３５を粘着性ベルト１０に対して接近及び離間する方向に移動させる構成であるが、このような構成に限定されない。別の構成により軸受け部３５を粘着性ベルト１０に対して接近及び離間する方向に移動させてもよいし、軸受け部３５が粘着性ベルト１０に対して接近及び離間する方向に移動できない構成としてもよい。
【００４１】
別の表現をすると、本実施例の記録装置１における軸受け部３５は、記録ヘッド７により被記録媒体Ｐが記録される際に押し付け方向Ｇに固定されている。このため、記録ヘッド７により被記録媒体Ｐが記録される際に、簡単に、押し付けローラー１２の回転軸２０を固定することができる構成になっている。
【００４２】
ここで、本実施例の記録装置１は、複数種類の押し付けローラー１２として、直径の異なる複数の押し付けローラー１２を使用する（取り付ける）ことができる。このため、被記録媒体Ｐの厚さなどに応じて適切な直径の押し付けローラー１２を使用できる。
【００４３】
また、本実施例の記録装置１は、複数種類の押し付けローラー１２として、材質の異なる複数の押し付けローラー１２を使用する（取り付ける）ことができる。このため、被記録媒体Ｐの素材などに応じて適切な材質の押し付けローラー１２を使用できる。
【００４４】
また、上記のように、本実施例の記録装置１は、スイングモーター３４を備える移動部３６を備え、軸受け部３５を搬送方向Ａに沿って移動させることが可能である。別の表現をすると、本実施例の記録装置１は、軸受け部３５を押し付け方向Ｇと交差する方向に移動させる移動部３６を備えている。このような構成のため、本実施例の記録装置１は、記録の際に、押し付けローラー１２を押し付け方向Ｇに固定したまま押し付け方向Ｇと交差する方向に移動させることができる。このため、本実施例の記録装置１は、押し付けローラー１２の押し付け力のばらつきを低減できるとともに、押し付けローラー１２の押し付け力が集中し被記録媒体Ｐに押し付けローラー１２の押し付け痕ができることを抑制できる。なお、本実施例の記録装置１は、軸受け部３５を搬送方向Ａに沿って移動させることが可能な構成であるが、軸受け部３５の移動方向（スイング方向）は、押し付け方向Ｇと交差する方向であれば搬送方向Ａに沿う方向からずれていてもよい。
【００４５】
また、本実施例の記録装置１は、図３で表されるように、軸受け部３５が押し付け方向Ｇに固定されている状態において粘着性ベルト１０を介して押し付けローラー１２と対向する領域に、該粘着性ベルト１０を支持するプラテン１９を備えている。このため、被記録媒体Ｐ及び粘着性ベルト１０を押し付けローラー１２とプラテン１９とで挟むことにより、粘着性ベルト１０が振動することを効果的に抑制することができる構成になっている。
【００４６】
［実施例２］（図４）  
次に、実施例２の記録装置１について、添付図面を参照して詳細に説明する。  
図４は、本実施例の記録装置１の押し付けローラー１２及び該押し付けローラー１２の取り付け部分３９を表す概略側面図であり、実施例１の記録装置１の図３に対応する図である。  
なお、本実施例の記録装置１は、押し付けローラー１２の取り付け部分３９の構成以外は実施例１の記録装置１と同様の構成であり、実施例１の記録装置１と同じ構成部材は同じ符号で表している。
【００４７】
実施例１の記録装置１では、１つの押し付けローラー１２を取り付け部分３９に取り付け可能な構成であるとともに、取り付け部分３９に取り付ける押し付けローラー１２を交換可能な構成であった。  
一方、本実施例の記録装置１は、複数の押し付けローラー１２を取り付け部分３９に取り付け可能な構成である。
【００４８】
詳細には、本実施例の記録装置１では、取り付け部分３９としての軸受け部３５は、複数種類の押し付けローラー１２（押し付けローラー１２ａ、１２ｂ、１２ｃ及び１２ｄ）の各々の回転軸２０を取り付けた（取り付け可能な）ターレット３５ｃである。そして、ターレット３５ｃは、該ターレット３５ｃの回転軸４１を基準に回転させることにより、押し付け方向Ｇに被記録媒体Ｐを押し付ける押し付けローラー１２を変更可能である。このため、被記録媒体Ｐを押し付けるのに使用する押し付けローラー１２を簡単に変更できる。  
なお、「ターレット」とは、押し付けローラー１２の各々の回転軸２０を取り付け可能であり該ターレットの回転軸４１を基準に回転させることにより被記録媒体Ｐを押し付ける押し付けローラー１２を変更可能であればよい意味であり、その形状や構成に特に限定はない。例えば、本実施例のターレット３５ｃのように本体部が円盤状の構成のもののほか、本体部が多角形のものや棒状のものなどでもよい。
【００４９】
また、本実施例のターレット３５ｃには、直径の大きい押し付けローラー１２ａ及び１２ｃと、直径の小さい押し付けローラー１２ｂ及び１２ｄと、を備えている。すなわち、複数種類の押し付けローラー１２として、直径の異なる複数の押し付けローラー１２を備えている（取り付けることができる）。このため、被記録媒体Ｐの厚さなどに応じて適切な直径の押し付けローラー１２を使用できる。ただし、このような構成に限定されない。
【００５０】
また、本実施例のターレット３５ｃには、表面が硬質の素材で形成された押し付けローラー１２ａ及び１２ｂと、表面が軟質の素材で形成された押し付けローラー１２ｃ及び１２ｄと、を備えている。すなわち、複数種類の押し付けローラー１２として、材質の異なる複数の押し付けローラー１２を備えている（取り付けることができる）。このため、被記録媒体Ｐの素材などに応じて適切な材質の押し付けローラー１２を使用できる。ただし、このような構成に限定されない。
【００５１】
また、本実施例のターレット３５ｃは、円盤状の本体部に構成された着脱受け部４０ａと、着脱受け部４０ａに対して着脱可能な着脱部４０ｂとで、回転軸２０の固定部４０が構成されている。そして、着脱受け部４０ａと着脱部４０ｂとで回転軸２０を挟んで保持することにより、回転軸２０を基準にして回転可能に押し付けローラー１２（押し付けローラー１２ａ、１２ｂ、１２ｃ及び１２ｄ）を保持する。なお、着脱受け部４０ａと着脱部４０ｂとで回転軸２０が挟まれると、押し付けローラー１２は軸受け部３５（ターレット３５ｃ）に対する位置が固定される。そして、記録の際は、ターレット３５ｃは回転軸４１を基準に回転しないように不図示のロック機構により固定される。  
また、本実施例の記録装置１も、実施例１の記録装置１と同様、押し付けローラー１２の押し付け方向Ｇにおける位置、すなわち、ターレット３５ｃの回転軸４１の押し付け方向Ｇにおける位置を、移動させることができる。なお、移動位置は２箇所であっても良いし、３ケ所以上であっても良い。
【００５２】
なお、本発明は上記実施例に限定されることなく、特許請求の範囲に記載した発明の範囲内で種々の変形が可能であり、それらも本発明の範囲内に含まれることは言うまでもない。
【符号の説明】
【００５３】
１…記録装置、２…繰出部、３…搬送機構、４…記録機構、５…回転軸、
６…従動ローラー、７…記録ヘッド（記録部）、８…駆動ローラー、９…従動ローラー、
１０…粘着性ベルト（搬送ベルト）、１１…従動ローラー、１２…押し付けローラー、
１３…洗浄ブラシ、１４…トレイ、１５…洗浄機構、１６…キャリッジ、
１７…巻取軸、１８…プラテン、１９…プラテン（支持部）、２０…回転軸、
２１…入出力部、２２…ＰＣ、２３…制御部、２４…ＣＰＵ、２５…システムバス、
２６…ＲＯＭ、２７…ＲＡＭ、２８…ヘッド駆動部、２９…モーター駆動部、
３０…キャリッジモーター、３１…搬送モーター、３２…繰出モーター、
３３…巻取モーター、３４…スイングモーター、３５…軸受け部、３５ａ…基体部、
３５ｂ…着脱部、３５ｃ…ターレット、３６…移動部、３７…従動ローラー、
３８…巻取機構、３９…取り付け部分、４０…固定部、４０ａ…着脱受け部、
４０ｂ…着脱部、４１…回転軸、４２…レバー、Ｆ…支持面、
Ｌ１…粘着性ベルト１０に対する接近位置及び離間位置の距離、
Ｌ２…押し付けローラー１２の搬送方向Ａに沿う移動範囲、Ｐ…被記録媒体（媒体）、
Ｒ１…被記録媒体Ｐのロール、Ｒ２…被記録媒体Ｐのロール
【図１】
2017185746.tif 000003
【図２】
2017185746.tif 000004
【図３】
2017185746.tif 000005
【図４】
2017185746.tif 000006